(57)【要約】【課題】ステップブラケットとステップ本体との接合強度を十分に確保することが可能な車両のステップ構造の提供。【解決手段】ステップ支持部２１は、線状に延びる円形状の外周面を有し、車体側に固定されてステップ本体１３を下方から支持する。ステップ本体１３は、ステップ支持部２１に載置されて乗員の踏板となる上板部３０と、上板部３０の少なくとも一部から湾曲状に曲折してステップ支持部２１の外周面と対向し、溶接によってステップ支持部２１に固定される曲折板部３１とを有する。曲折板部３１とステップ支持部２１との間の溶接範囲は、ステップ支持部２１の外周面の周方向に沿って円弧状に延びる領域を含む。【選択図】図２
2018052159.tif 000002
【特許請求の範囲】
【請求項１】
ステップ本体と、
線状に延びる円形状の外周面を有し、車体側に固定されて前記ステップ本体を下方から支持するステップ支持部と、を備え、
前記ステップ本体は、前記ステップ支持部に載置されて乗員の踏板となる上板部と、前記上板部の少なくとも一部から湾曲状に曲折して前記ステップ支持部の前記外周面と対向し、溶接によって前記ステップ支持部に固定される曲折板部と、を有し、
前記曲折板部と前記ステップ支持部との間の溶接範囲は、前記ステップ支持部の前記外周面の周方向に沿って円弧状に延びる領域を含む
ことを特徴とする車両のステップ構造。
【発明の詳細な説明】
【技術分野】
【０００１】
本発明は、車両のステップ構造に関する。
【背景技術】
【０００２】
特許文献１には、上記公報には、サイドバンパ２にステップ１が固定される構造が記載されている。サイドバンパ２は、車体に垂直に取付けたステイ３に複数のパイプ材からなるロッド部材４を固定したもので、各ロッド部材４は互いにほぼ水平でかつ所定の間隔をもって、前後及び中間のステイ３に溶接等により固定される。ステップ１は、ロッド部材４の上面に溶接される。
【先行技術文献】
【特許文献】
【０００３】
【特許文献１】実開平６−７２７６０号公報
【発明の概要】
【発明が解決しようとする課題】
【０００４】
特許文献１に記載された構造では、ステップ（ステップ本体）は、ロッド部材（ステップブラケット）の上面のみに溶接されるので、接合強度を十分に確保できない可能性が生じる。
【０００５】
そこで、本発明は、ステップブラケットとステップ本体との接合強度を十分に確保することが可能な車両のステップ構造の提供を目的とする。
【課題を解決するための手段】
【０００６】
上記目的を達成すべく、本発明は、ステップ本体とステップ支持部とを備える。ステップ支持部は、線状に延びる円形状の外周面を有し、車体側に固定されて前記ステップ本体を下方から支持する。
【０００７】
ステップ本体は、ステップ支持部に載置されて乗員の踏板となる上板部と、上板部の少なくとも一部からステップ支持部の外周面に沿って下方へ湾曲状に曲折し、溶接によってステップ支持部に固定される曲折板部とを有する。
【０００８】
曲折板部とステップ支持部との間の溶接範囲は、ステップ支持部の外周面の周方向に沿って円弧状に延びる領域を含む。
【０００９】
上記構造では、曲折板部とステップ支持部との間の溶接範囲は、ステップ支持部の外周面の周方向に沿って円弧状に延びる領域を含むので、ステップ支持部を中心として回転方向に作用する外力に対して強い接合状態を得ることができ、ステップ支持部に対するステップ本体の接合強度を十分に確保することができる。
【発明の効果】
【００１０】
本発明によれば、ステップブラケットとステップ本体との接合強度を十分に確保することができる。
【図面の簡単な説明】
【００１１】
【図１】本実施形態に係る車両のステップ構造を備える車両の前部側面図である。
【図２】本実施形態に係る車両のステップ構造の要部の斜視図である。
【図３】図２のIII−III矢視断面図である。
【発明を実施するための形態】
【００１２】
以下、本発明の一実施形態について図面を参照して詳細に説明する。なお、各図において、矢印ＦＲは車両の前方を、矢印ＵＰは上方を、矢印ＩＮは車幅内側をそれぞれ示す。また、以下の説明において、前後方向は車両の前後方向を意味し、左右方向は車両の前方を向いた状態での左右方向を意味する。
【００１３】
図１に示すように、本実施形態に係る車両１は、キャブ２が概ねエンジン（図示省略）の上方に配置されるキャブオーバー型の車両１であり、車両１の前部側方に車両のステップ構造１０を備える。なお、車両のステップ構造１０は、車両１の左右両側にそれぞれ配置されており、右側と左側とがそれぞれ同様の構成を有するため、以下では左側について説明し、右側についての説明は省略する。
【００１４】
図１及び図２に示すように、車両のステップ構造１０は、車体フレーム１１と、車体フレーム１１に固定されるステップブラケット１２と、ステップブラケット１２に下方から支持されるステップ本体１３とを備える。
【００１５】
車体フレーム１１は、車幅方向左右両側に前後方向に沿って延びる左右１対のサイドメンバ(図１及び図２に左側のみを示す）１４と、車幅方向に沿って配置されて左右両側のサイドメンバ１４同士を連結する複数のクロスメンバ(図示省略)とを有する。車体フレーム１１の前部の上方にはキャブ２が配置され、キャブ２の下方にはエンジンが搭載される。
【００１６】
サイドメンバ１４は、上下方向に離間して相対向した状態で前後方向に延びるサイドメンバ上板部１５及びサイドメンバ下板部１６と、上下方向に起立してサイドメンバ上板部１５の車幅方向外端縁とサイドメンバ下板部１６の車幅方向外端縁とを連結するサイドメンバ縦板部１７とを一体的に有し、車幅方向内側に開口するＵ字断面である。すなわち、サイドメンバ上板部１５及びサイドメンバ下板部１６は、上下方向と交叉している。なお、車両内側へ開口するＵ字断面は、サイドメンバ上板部１５とサイドメンバ下板部１６とサイドメンバ縦板部１７とによってサイドメンバ１４の前後方向略全域に形成されるが、これに限定されるものではなく、例えば少なくともサイドメンバ１４の前端部のみに形成されてもよい。
【００１７】
ステップブラケット１２は、ブラケット前固定部２０とステップ支持部２１とブラケット後支持部２２とを一体的に有し、円管形状の部材を用いて形成される。ブラケット前固定部２０は、その上端縁に設けられる前基端部２３がサイドメンバ下板部１６の前端部の下面に溶接等により固定され、前基端部２３から車幅方向外側下方へ延び、下端部２４でステップ支持部２１と連続する。ステップ支持部２１は、ブラケット前固定部２０の下端部２４から曲折して後方へ延びる前方支持部２５と、前方支持部２５の後端縁から車幅方向内側へ曲折する曲折支持部２６と、曲折支持部２６の車幅方向内端縁から車幅方向内側へ延びる後方支持部２７とを一体的に有し、後方支持部２７の車幅方向内端部でブラケット後固定部２２と連結する。ブラケット後固定部２２は、その下端部２８がステップ支持部２１の後方支持部２７の車幅方向内端から曲折して斜め上後方へ延び、その上端縁に設けられる後基端部２９がサイドメンバ下板部１６の下面に溶接等により固定される。
【００１８】
また、ステップブラケット１２は、ステップ支持部２１の両端に設けられるブラケット前固定部２０及びブラケット後固定部２２がサイドメンバ１４のサイドメンバ下板部１６の下面に溶接等により固定されることによって車体側に固定されているが、本実施形態の形状に限定されるものではなく、少なくとも、車体側に固定されてステップ本体１３を下方から支持するステップ支持部２１を有する形状であればよく、本実施形態とは異なる形状（例えば、中実の円柱状体であり、ステップ支持部２１がブラケット前固定部２０のみを介して車体側に固定される形状）であってもよい。
【００１９】
図２及び図３に示すように、ステップ本体１３は、上板部３０と曲折板部３１とを一体的に有し、平板状の部材を用いて形成される。
【００２０】
上板部３０は、略矩形平板状に形成され、上板部３０の車幅方向外端側と後端側とがステップ支持部２１に載置された状態で固定されることによって乗員の踏板となる。上板部３０には、上板部３０の車幅方向外端側と後端側とがステップ支持部２１に固定されたステップ固定状態で、前方支持部２５の上面に沿って延びて前方支持部２５に載置される車幅方向外端部３２と、曲折支持部２６の上面に沿って延びて曲折支持部２６に載置される曲折端部３３と、後方支持部２７の上面に沿って延びて後方支持部２７に載置される後端部３４とが設けられる。上板部３０の車幅方向外側前端３２には、ステップ固定状態で、ブラケット前固定部２０を避けるためにブラケット前固定部２０の外周縁に沿った切欠部３５が形成される。
【００２１】
ステップブラケット１２のステップ支持部２１と上板部３０との間には、ステップ支持部２１と上板部３０とを溶接する上板部側溶接部３６が形成される。上板部側溶接部３６は、上板部３０の車幅方向外端と後端とに沿って略全域に延びて上板部３０の下面とステップ支持部２１の外周面との間を溶接する内側溶接部４１と、曲折端部３３の先端縁と曲折支持部２６の外周面との間を溶接する曲折溶接部４２と、後端部３４の先端部と後方支持部２７の外周面との間を溶接する後方溶接部４３とを有する。ステップ支持部２１と上板部３０とは、内側溶接部４１と曲折溶接部４２と後方溶接部４３とがそれぞれ溶接されることによって固定される。
【００２２】
曲折板部３１は、上板部３０の車幅方向外端部３２の車幅方向外端縁４０からステップ支持部２１の前方支持部２５の外周面に沿って下方へ湾曲状に曲折して前方支持部２５の外周面と対向する。曲折板部３１は、ステップ支持部２１の前方支持部２５の外周面よりも大きい曲率半径を有する円弧状であり、曲折板部３１の曲率半径は２．５ｍｍ以上に設定される。曲折板部３１の下面とステップ支持部２１の前方支持部２５の外周面との間には、前方支持部２５の外周面の周方向に沿って円弧状に延び、下方に向かって広がる間隙である間隙溶接領域３８が形成される。
【００２３】
ステップ支持部２１の前方支持部２５と曲折板部３１の間には、前方支持部２５と曲折板部３１とを溶接する曲折板部側溶接部３７が前後方向に沿って略全域に形成される。曲折板部側溶接部３７は、曲折板部３１の下面と前方支持部２５の外周面との間に形成される間隙溶接領域３８と、曲折板部３１の先端縁と前方支持部２５の外周面との間に形成される先端溶接領域３９とを一体的に有する。前方支持部２５と曲折板部３１とは、間隙溶接領域３８に溶加材が充填され（間隙を埋めるように溶接され）、曲折板部３１の先端縁と前方支持部２５の外周面との間に形成される先端溶接領域３９が溶接されることにより固定される。
【００２４】
すなわち、ステップ本体１３は、上板部３０が上板部側溶接部３６によってステップ支持部２１に固定され、曲折板部２６が曲折板部側溶接部３７によって前方支持部２５に固定されることにより、ステップブラケット１２に固定される。
【００２５】
本実施形態によれば、曲折板部３１とステップ支持部２１の前方支持部２５との間の溶接範囲は、ステップ支持部２１の前方支持部２５の外周面の周方向に沿って円弧状に延びる領域（間隙溶接領域３８）を含むので、前方支持部２５を中心として回転方向に対して強い接合状態を得ることができ、ステップ支持部２１に対するステップ本体１３の接合強度を十分に確保することができる。
【００２６】
なお、本実施形態では、曲折板部３１は、上板部３０の車幅方向外端部３２の車幅方向外端縁４０からステップ支持部２１の前方支持部２５の外周面に沿って下方へ湾曲状に曲折してステップ支持部２１の前方支持部２５の外周面と対向するが、これに限定されるものではなく、曲折板部３１は、上板部３０の少なくとも一部から湾曲状に曲折してステップ支持部２１の外周面と対向し、溶接によってステップ支持部２１に固定され、曲折板部３１とステップ支持部２１との間の溶接範囲は、ステップ支持部２１の外周面の周方向に沿って円弧状に延びる領域を含む形状（例えば、曲折板部３１は、上板部３０の後端部３４の後端縁からステップ支持部２１の後方支持部２７の外周面に沿って下方へ湾曲状に曲折してステップ支持部２１の後方支持部２７の外周面と対向する形状）であればよい。
【００２７】
また、本実施形態では、内側溶接部４１がステップ本体１３の上板部３０の下面とステップ支持部２１の外周面との間に設けられるが、これに限定されるものではなく、ステップ支持部２１に対するステップ本体１３の接合強度を十分に確保するには、ステップ本体１３の曲折板部３１とステップ支持部２１との間の溶接領域にステップ支持部２１の外周面に沿って円弧上に延びる領域（間隙溶接領域３８）が含まれればよい。すなわち、曲折板部３１とステップ支持部２１との間の溶接領域に間隙溶接領域部３８が設けられる場合、その領域のステップ支持部２１と上板部３０との間には、内側溶接部４１を設けなくてもよい。
【００２８】
また、本実施形態では、車両のステップ構造１０が適用される車両１をキャブオーバー型の車両としたが、これに限定されるものではなく、ステップを有する車両に広く適用することができる。
【００２９】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【産業上の利用可能性】
【００３０】
本発明は、ステップを備える様々な車両に広く適用可能である。
【符号の説明】
【００３１】
１  車両
２  キャブ
１０  車両のステップ構造
１１  車体フレーム
１２  ステップブラケット
１３  ステップ本体
１４  サイドメンバ
１５  サイドメンバ上板部
１６  サイドメンバ下板部
１７  サイドメンバ縦板部
２０  ブラケット前固定部
２１  ステップ支持部
２２  ブラケット後固定部
２３  前基端部
２４  下端部
２５  前方支持部
２６  曲折支持部
２７  後方支持部
２８  下端部
２９  後基端部
３０  上板部
３１  曲折板部
３２  車幅方向外端部
３３  曲折端部
３４  後端部
３５  切欠部
３６  上板部側溶接部
３７  曲折板部側溶接部
３８  間隙溶接領域
３９  先端溶接領域
４０  上板部の車幅方向外端部の車幅方向外端縁（曲折板部の上端縁（車幅方向内端縁））
４１  内側溶接部
４２  曲折溶接部
４３  後方溶接部
【図１】
2018052159.tif 000003
【図２】
2018052159.tif 000004
【図３】
2018052159.tif 000005